(57)【要約】【課題】医師もしくは医療機関の管理に基づいた先の患者に応じた処方による治療動作を患者自身が行うことができる患者負担の少ない在宅治療前提の医療機器を提供する。【解決手段】入力ユニット１は、医師が診察した患者に対して処方した処方情報を治療ユニット２に入力するものであり、前記治療ユニット２は、動作することにより入力ユニット１によって入力された前記処方情報に基づいた治療動作を行うものであり、駆動ユニット３は、前記治療ユニット２が装着されることにより前記治療ユニット２を動作できる状態に制御するものであり、前記入力ユニット１により前記処方情報が入力された前記治療ユニット２及び前記駆動ユニット３を前記患者に対して提供することにより、前記患者自身が前記治療ユニット２を前記駆動ユニット３に装着して前記治療ユニット２を治療のために動作させる。【選択図】図１
2014108262.tif 000002
【特許請求の範囲】
【請求項１】
入力ユニットと、治療ユニットと、駆動ユニットとを備える医療機器であって、前記入力ユニットは、医師が診察した患者に対して処方した処方情報を前記治療ユニットに入力するものであり、前記治療ユニットは、動作することにより入力ユニットによって入力された前記処方情報に基づいた治療動作を行うものであり、前記駆動ユニットは、前記治療ユニットが装着されることにより前記治療ユニットを動作できる状態に制御するものであり、前記入力ユニットにより前記処方情報が入力された前記治療ユニット及び前記駆動ユニットを前記患者に対して提供することにより、前記患者自身が前記治療ユニットを前記駆動ユニットに装着して前記治療ユニットを治療のために動作させる医療機器。
【請求項２】
前記入力ユニットは治療ユニットとの連結を行う第１連結手段の一部を構成する第１連結部を備え、前記治療ユニットは前記第１連結手段の他部を構成する第２連結部を備えると共に、前記第１連結手段は前記入力ユニットと前記治療ユニットの夫々を互いに識別する第１識別手段を備え、前記治療ユニットは識別された前記入力ユニットからのみ前記処方情報を受け付ける請求項１に記載の医療機器。
【請求項３】
前記治療ユニットは前記駆動ユニットとの連結を行う第２連結手段の一部を構成する第３連結部を備え、前記駆動ユニットは前記第２連結手段の他部を構成する第４連結部を備えると共に、前記第２連結手段は前記治療ユニットと前記駆動ユニットの夫々を互いに識別する第２識別手段を備え、前記駆動ユニットは識別された前記治療ユニットのみを動作させる請求項１に記載の医療機器。
【請求項４】
前記治療ユニットは、対応できる処方内容別に複数種類が構成されると共に、当該複数種類の夫々において前記処方情報に応じてさらに動作状態が制御される請求項１に記載の医療機器。
【請求項５】
前記治療ユニットは、動作することにより治療動作を実施する治療手段、この治療手段による治療動作を制御する制御手段、入力ユニットから入力される処方情報を記憶する記憶手段、駆動ユニットと連結されることにより治療に要するエネルギーを出力する電源手段を少なくとも内蔵し、前記記憶手段に記憶された処方情報に基づいて前記電源手段によるエネルギー出力動作並びに前記制御手段による前記治療手段の治療動作を制御することにより、前記治療手段が前記処方情報に基づいた治療動作を行う請求項１ないし請求項４のいずれか一項に記載の医療機器。
【請求項６】
前記電源手段は、第２連結手段を介して連結された駆動ユニットにより治療に要するエネルギーを出力できる状態に制御されると共に当該状態を維持できるように構成され、前記治療ユニットは第２連結手段による前記駆動ユニットへの連結状態が解除された単独状態において入力ユニットにて入力された処方情報に基づいた治療動作を行う請求項５に記載の医療機器。
【請求項７】
前記治療ユニットは、治療ユニットの治療手段を治療用の光を発する発光部にて構成すると共に、制御手段を発光部の発光動作を制御するように構成し、さらに電源手段を駆動ユニットと連結されることにより発光エネルギーを蓄積する電源回路部にて構成し、記憶手段に記憶された処方情報に基づいて電源回路部による発光エネルギー蓄積動作並びに制御手段による発光部の発光動作を制御する請求項５に記載の医療機器。
【請求項８】
前記治療ユニットは、記憶部に記憶された処方情報に基づいて駆動ユニットの動作を制御する駆動制御部をさらに備え、駆動ユニットは処方情報に基づいて動作することにより電源回路部に蓄積される発光エネルギーを制御する請求項７に記載の医療機器。
【発明の詳細な説明】
【技術分野】
【０００１】
本発明は、治療が必要な部位の治療を行う医療機器に関し、特に患者個人が扱うことにより治療を実現する在宅使用を前提とした医療機器に関する。
【背景技術】
【０００２】
従来から様々な医療機器が実用化され、患者個人が扱うことにより治療を実現する在宅使用を前提とした医療機器やその管理システムも多種存在あるいは提案されている。
例えば、医師又は医療機関による処方内容を、患者が個人用に使用する複数の医療機器に、多種類の処方内容を容易に、しかも誤りなく入力できるように携帯用記憶媒体を用いて管理することができるようにした医療機器管理装置とそれにより管理される医療機器、並びに医療施設の管理システムが提案されている。（特許文献１）。
また、マシンリーダブルコード付はがきを介して病院（医師）と医療機器間の処方情報を含む各種の情報交換を行う在宅医療機器も提案されている。（特許文献２）。
さらに、患者に装着された医療機器に、患者の個別症状に適合した治療器具調整プログラムが機能する上記のようなはがきではない医療用ＩＣカードを搭載し、遠隔（在宅）にいる患者の症状をリアルタイムに把握すると共に、患者に適した治療調整プログラムの書換えを行うことにより迅速的確な治療を行うことができるコンピュータシステムを利用したシステムについても提案されている（特許文献３）。
【先行技術文献】
【特許文献】
【０００３】
【特許文献１】特開２０１０−２３１５９９号公報
【特許文献２】特開平７−１７８０６０号公報
【特許文献３】特開２００２−３２４７７号公報
【発明の概要】
【発明が解決しようとする課題】
【０００４】
しかしながら、上述したいずれの医療機器、システムも、患者に対して実際に治療を実施する医療機器自体を患者宅に設置しておくことを前提としており、必然的に実施できる治療種（対応できる処方数）は、当該医療機器自体の機能に制限されることになる。
【０００５】
薬剤にあっては、例えば処方量が変更されるように、治療すべき部位の改善状況に基づいて治療は最適の処方に整合されることは周知である。
もちろん医療機器においても処方内容は、適用される治療部位に最適な内容に制御されることが当然のことながら望まれる。
【０００６】
例えば、在宅医療機器として周知である自動透析装置や酸素濃縮装置の場合、患者の状況によって、酸素濃度自体、流量等、患者の状況によって細かく制御されることが望ましいが、その実現には、酸素濃度計に酸素濃度自体等を細かく制御する機能、すなわち多数種の処方を実現できる構成を予め付与しておく必要があり、この場合、装置形状の大型化やコストアップ、すなわち患者負担の増大が考えられることから改善が望まれていた。
【０００７】
そこで、本発明は、かかる事情に鑑みてなされたもので、夫々独立して形成された入力ユニットと治療ユニットと駆動ユニットとを備え、医師もしくは医療機関により患者の状況に応じて決定された処方を入力ユニットにて治療ユニットに設定するとともに、患者宅で駆動ユニットを介して治療ユニットを動作することにより、医師もしくは医療機関の管理に基づいた先の患者に応じた処方による治療動作を患者自身が行うことができる患者負担の少ない在宅治療前提の医療機器を提供することを課題とする。
【課題を解決するための手段】
【０００８】
本発明による医療機器は、夫々独立して形成される入力ユニットと、治療ユニットと、駆動ユニットとを備え、入力ユニットは、医師が診察した患者に対して処方した処方情報を治療ユニットに入力するものであり、治療ユニットは、動作することにより入力ユニットによって入力された処方情報に基づいた治療動作を行うものであり、駆動ユニットは、治療ユニットが装着されることにより治療ユニットを動作できる状態に制御するものであり、入力ユニットにより処方情報が入力された治療ユニット及び駆動ユニットを患者に対して提供することにより患者自身が治療ユニットを駆動ユニットに装着して治療のために動作させることを特徴としている。
【０００９】
かかる本発明の医療機器によれば、患者宅には入力ユニットを除く治療ユニットと駆動ユニットが配されることになり、例えば処方をさらに細かく制御する必要があるような場合、治療ユニット自体を多種類準備しておき選択対応することにより、入力ユニットと選択された治療ユニットと駆動ユニットとから構成される医療機器の全体形状をいたずらに大型化することなく、またコストアップに伴う患者負担の増大を生じることなく在宅治療を実現できることになる。より具体的に述べると、患者の症状に応じた処方にて異なる錠剤数が処方される薬剤による治療時と同様に、本発明による医療機器の一部を構成する治療ユニットを多種予め準備し、処方に応じて医師が治療ユニットを選択することにより、医療機器本体もしくは治療ユニット自体に多種の治療を実現するための構成全てを設けることなく多種の治療を実現できることになる。
【００１０】
ここで、本発明の一態様として、入力ユニットは治療ユニットとの連結を行う第１連結手段の一部を構成する第１連結部を備え、治療ユニットは第１連結手段の他部を構成する第２連結部を備えると共に、第１連結手段は入力ユニットと治療ユニットの夫々を互いに識別する第１識別手段を備え、治療ユニットは識別された前記入力ユニットからのみ前記処方情報を受け付けるように構成できる。
かかる構成によれば、治療ユニットへの処方情報の入力が、第１連結手段により連結、かつ第１識別手段により識別された特定の入力ユニットのみから行われることになり、入力ユニットを例えば医師や医療機関が操作できる場所に設置することにより、治療ユニットへの処方情報の入力が医師や医療機関においてのみ行えることになると共に、入力された処方情報自体が不用意に変更されることも防止することができる。
【００１１】
また、本発明の他態様として、治療ユニットは駆動ユニットとの連結を行う第２連結手段の一部を構成する第３連結部を備え、駆動ユニットは第２連結手段の他部を構成する第４連結部を備えると共に、第２連結手段は治療ユニットと駆動ユニットの夫々を互いに識別する第２識別手段を備え、駆動ユニットは識別された治療ユニットのみを動作させるように構成できる。
かかる構成によれば、駆動ユニットは、第２連結手段により連結、かつ第２識別手段により識別された治療ユニットの動作のみを制御することから、治療ユニットは駆動ユニットが設置されている場所でのみ動作することになり、患者は識別された治療ユニットによって自身のために入力ユニットにて入力された処方情報に基づいた治療を自ら実施できることになる。
【００１２】
また、本発明の別の態様として、治療ユニットは、対応できる処方内容別に複数種類が構成されると共に、当該複数種類の夫々において処方情報に応じてさらに動作状態が制御されるように構成することができる。
かかる構成によれば、薬剤対応において普通に行われている例えば治療効果を処方錠剤数で制御するような処方内容の選択を、複数種類構成された治療ユニットの医師あるいは医療機関による選択によって実現できることになる。さらに、複数種類の治療ユニットの夫々も入力ユニットにて入力される処方情報に応じて動作状態が制御されることから、より緻密な治療を実施できることになる。
例えば治療ユニットとして治療効果大、中、小である処方内容別の三種類を用意し、さらに大、中、小夫々の治療ユニットにおいて治療効果状態をさらに複数種、例えば三種類設定できるように構成することにより、全体としては９種類の治療処方を医師もしくは医療機関は選択できることになり、９種類全ての治療処方を医療機器本体にて実現する場合に比して、機器形状がいたずらに大型化することなく、また使用しない治療処方分の構成まで負担しなくても良くなることから、患者側から見れば設置スペース面およびコスト面で有利となる。
また、本発明の別の態様として、治療ユニットは、動作することにより治療動作を実施する治療手段、この治療手段による治療動作を制御する制御手段、入力ユニットから入力される処方情報を記憶する記憶手段、駆動ユニットと連結されることにより治療に要するエネルギーを出力する電源手段を少なくとも内蔵し、記憶手段に記憶された処方情報に基づいて電源手段によるエネルギー出力動作並びに制御手段による治療手段の治療動作を制御することにより、治療手段が前記処方情報に基づいた治療動作を行うように構成することができる。
かかる構成によれば、医師もしくは医療機関が患者に対して処方した処方情報に基づいた治療を、駆動ユニット設置場所にて治療ユニットに実施させることができる在宅治療用途の医療機器を構成することができ、患者側から見れば治療のために頻繁に医療機関に赴く必要がなくなり、コスト面等の負担を大きく軽減できることになる。
また、本発明の別の態様として、電源手段は、第２連結手段を介して連結された駆動ユニットにより治療に要するエネルギーを出力できる状態に制御されると共に当該状態を維持できるように構成され、治療ユニットは第２連結手段による駆動ユニットへの連結状態が解除された単独状態において入力ユニットにて入力された処方情報に基づいた治療動作を行うように構成することができる。
かかる構成によれば、駆動ユニットにて電源手段に治療に要するエネルギーが出力された後、治療ユニットは駆動ユニット設置場所以外でも治療手段による治療動作を実施できることになり、結果、治療場所の選択自由度を極めて高くできることになる。
また、本発明の別の態様として、治療ユニットの治療手段を治療用の光を発する発光部にて構成すると共に、制御手段を発光部の発光動作を制御するように構成し、さらに電源手段を駆動ユニットと連結されることにより発光エネルギーを蓄積する電源回路部にて構成し、記憶手段に記憶された処方情報に基づいて電源回路部による発光エネルギー蓄積動作並びに制御手段による発光部の発光動作を制御することにより、治療ユニットが処方情報に基づいた発光動作を行うように構成することができる。
かかる構成によれば、医師もしくは医療機関が患者に対して処方した処方情報に基づいた治療のための発光動作を、駆動ユニット設置場所にて発光部に実施させることができる在宅治療用途の光線治療器を構成することができ、患者側から見れば治療のために頻繁に医療機関に赴く必要がなくなり、コスト面等の負担を大きく軽減できることになる。
また、本発明の発光部を有する治療ユニットの別の態様として、記憶部に記憶された処方情報に基づいて駆動ユニットの動作を制御する駆動制御部をさらに備え、駆動ユニットは処方情報に基づいて動作することにより電源回路部に蓄積される発光エネルギーを制御するように構成することができる。
【００１３】
かかる構成によれば、例えば電源回路部の蓄積発光エネルギー量を駆動ユニットにて制御できることになり、電源回路部自体で蓄積発光エネルギー量を制御する場合に比して電源回路部、ひいては治療ユニット自体の構成を簡素化できることになる。
【発明の効果】
【００１４】
本発明によれば、夫々独立して形成された入力ユニットと治療ユニットと駆動ユニットを備え、医師もしくは医療機関により患者の状況に応じて決定された処方を治療ユニットに入力ユニットを介して設定するとともに、患者宅で駆動ユニットを介して治療ユニットを動作させることにより、医師もしくは医療機関の管理に基づいた先の患者に応じた処方による治療動作を患者自身が行うことができる医療機器を得ることができる。
【図面の簡単な説明】
【００１５】
【図１】本発明に係る医療機器の構成概念図
【図２】本発明に係る医療機器の一実施形態である光線治療器の概略構成図
【図３】本発明に係る医療機器の一実施形態である光線治療器の概略電気回路図
【発明を実施するための形態】
【００１６】
本発明に係る医療機器について、図面を参酌しつつ、説明する。
【００１７】
図１は、本発明に係る医療機器の構成概念図を示し、図示しているように本発明に係る医療機器は、夫々独立して形成される入力ユニット１と治療ユニット２と駆動ユニット３を備えている。
【００１８】
入力ユニット１は、医師Ａが診察した患者Ｂに対して処方した処方情報を治療ユニット２に入力するものであり、治療ユニット２は、動作することにより先の入力された処方情報に基づいた治療動作を行うものであり、駆動ユニット３は、治療ユニット２が装着されることにより治療ユニット２を動作できる状態に制御するものである。
したがって、医師Ａを含む医療機関Ｘにおいて入力ユニット１により処方情報を治療ユニット２に入力するとともに駆動ユニット３を準備し、一方で上記治療ユニット２と駆動ユニット３を患者Ｂに対して提供することにより患者Ｂは患者宅Ｙにて自身が治療ユニット２を駆動ユニット３に装着して治療のために動作させることができることになる。
【００１９】
入力ユニット１は、例えば医師Ａが診察した患者Ｂに応じて設定した処方情報を入力する入力手段４を備えている。この入力手段はキーボード式、ダイヤル式、プッシュボタン式等々の周知の入力構成を採用することができる。また、後述する治療ユニット２の一部と共に構成される第１連結手段５を備えている。
第１連結手段５は入力ユニット１に形成された第１連結部５ａと治療ユニット２に形成された第２連結部５ｂとから構成され、第１、第２連結部５a、５ｂが連結されることにより、入力手段４によって入力された患者Ｂの処方情報が治療ユニット２に伝達されることになる。具体的には、プラグとソケット構成からなるいわゆる周知のコネクタ構成や無線による周知の情報伝達構成等を第１連結手段５として適宜採用できることになる。
【００２０】
治療ユニット２は、第１連結手段５を介して入力ユニット１から伝達された処方情報を記憶すると共にこの記憶した処方情報に基づいて電源手段２ｂ、制御手段２ｃ等の動作を制御する記憶手段２aと、後述する駆動ユニット３と協働することにより治療手段２ｄによる治療に要するエネルギーを出力する電源手段２ｂと、電源手段２ｂ、治療手段２ｄ等の動作を制御する制御手段２ｃと、患者Ｂの治療すべき患部に対する治療動作を行う治療手段２ｄを備えている。また、後述する駆動ユニット３の一部と共に構成される第２連結手段６を備えている。
第２連結手段６は治療ユニット２に形成された第３連結部６aと駆動ユニット３に形成された第４連結部６ｂとから構成され、第３、第４連結部６a、６ｂが連結されることにより、入力ユニット１の入力手段４によって入力された患者Ｂの処方情報が治療ユニット２を介して駆動ユニット３に伝達されると共に、駆動ユニット３の動作出力である例えば治療に要するエネルギーが治療ユニット２の電源手段２ｂに伝達されることになる。具体的には、プラグとソケット構成からなるいわゆる周知のコネクタ構成や非接触の周知のエネルギー伝達構成等を第２連結手段６として適宜採用できることになる。
駆動ユニット３は、第２連結手段６により治療ユニット２が連結され、動作することにより治療ユニット２の電源手段２ｂを、治療に要するエネルギーを出力できる状態に制御する。例えば、上記電源手段２ｂを治療に要するエネルギーを蓄積する構成であると仮定すると、駆動ユニット３を単なる電源として構成し、電源手段２ｂは電源である駆動ユニット３と連結されることにより治療に要するエネルギーを蓄積する動作を開始するように構成できる。このとき、電源手段２ｂの治療に要するエネルギーの出力動作もしくは駆動ユニット３の電源としての動作は、患者の処方情報に応じた治療ユニット２による治療動作を実現するために、治療ユニット２の記憶手段２ａに記憶されている患者の処方情報に基づいて制御されることはもちろんである。
図１に示したような構成により、治療ユニット２は、入力ユニット１にて入力され記憶手段２aに記憶されている患者Ｂの診察に基づき医師が処方した処方情報に基づいて電源手段２ｂ、制御手段２ｃはもちろん駆動ユニット３の動作を制御し、これにより、制御手段２ｃが治療手段２ｄの動作を制御して治療手段２ｄは上記処方状態に基づいて治療動作を行うことになる。
この結果、患者は、治療ユニット２と駆動ユニット３を自宅に準備することにより、治療ユニット２による医師の処方に基づく治療を在宅にて受けることができ、治療のために頻繁に医療機関に赴く必要がなくなり、コスト面等の負担を軽減できることになる。
【００２１】
なお、第２連結手段６による治療ユニット２と駆動ユニット３の連結は常時必須ではなく、例えば治療ユニット２の電源手段２ｂが、記憶手段２aが記憶している処方情報に基づく駆動ユニット３の動作によって治療に要するエネルギーを出力できる状態になされ、当該状態が治療ユニット２と駆動ユニット３の連結の有無に係わらず維持されるように構成することにより、第２連結手段６による治療ユニット２と駆動ユニット３の連結を解除した状態で治療ユニット２による治療を実現できることになることはもちろんである。
【００２２】
これにより、駆動ユニット３にて電源手段２ｂに治療に要するエネルギーが出力された後、治療ユニット２は駆動ユニット３の設置場所以外でも治療手段２ｄによる治療動作を実施できることになり、結果、治療場所の選択自由度を極めて高くできることになる。
また、図１からも明らかなように、治療ユニット２は、医療機関Ｘの領域にも患者宅Ｙの領域にも属し、すなわち、本発明にかかる医療機器にあっては、この治療ユニット２が一般の薬剤と同様に医師もしくは医療機関Ｘにて処方されて患者宛に提供され、患者宅Ｙにおいて薬剤を飲用するように患者によって治療のために使用されることになる。
【００２３】
このため、治療ユニット２として処方内容別に、例えば治療効果が異なるいくつかの独立した治療ユニット２Ａ、２Ｂを準備し、さらにこれらの治療ユニット２Ａ、２Ｂの夫々において処方情報に応じて動作状態が制御されるように構成しておくことにより、医師もしくは医療機関Ｘによる処方内容をより緻密な内容に制御できることになる。
【００２４】
すなわち、処方内容別に治療ユニット２、２Ａ、２Ｂの三種を用意し、かつ夫々の治療ユニットにおいて動作状態をさらに複数種制御できるように構成することにより、全体として三種×複数種通りの治療処方を医師もしくは医療機関は選択できることになり、多数種全ての治療処方を医療機器本体にて実現するように構成する場合に比して、機器形状がいたずらに大型化することなく、また使用しない治療処方分の構成まで負担しなくても良くなることから、患者側から見れば設置スペース面およびコスト面で有利となる。
【００２５】
さらに、本発明にかかる医療機器は、患者の処方情報という個人情報を扱うことから、第１連結手段５及び第２連結手段６に連結される相手方を識別する識別機能を持たせ、第１識別手段、第２識別手段としても兼用することが好ましい。なお、識別機能の実現は、例えば第１、第２連結手段の構成をコネクタ構成とした場合プラグあるいはソケットの形状を特殊形状にて形成する機械的な識別手段や連結した後の信号授受による電気的な識別手段等、周知の識別技術を採用することができる。
これにより、治療ユニット２は駆動ユニット３が設置されている場所でのみ動作することになり、患者は識別された治療ユニット２にて、自身のために入力ユニット１にて入力された医師等による処方情報に基づいた治療を自ら実施できることになる。
【００２６】
図２及び図３は、本発明に係る医療機器の一実施形態である光線治療器の概略構成図と同概略電気回路図を示している。
【００２７】
図２からも明らかなように、本事例（光線治療器事例）における入力ユニット１は、医師が診察した患者に応じた処方情報を入力する入力手段４として本体１０１上に形成されたキーボード４０１、入力画面４０２等からなる周知の情報入力手段を備えている。
また、入力手段４にて入力された処方情報を治療ユニット２に入力するためのプラグ１０２を備え、このプラグ１０２を後述する治療ユニット２のソケット２０３をセットすることにより、先の処方情報が治療ユニット２に入力されることになる。
すなわち、本事例では、第１連結手段５が、第１連結部５aであるプラグ１０２と第２連結部５ｂであるソケット２０３にて構成されている。
また、プラグ１０２の一部には第１異形状部１０３が形成され、ソケット２０３の一部には第１異形状部１０３と嵌合できる第２異形状部２０５が形成されており、これにより入力ユニット１と治療ユニット２の互いによる識別が図られる。すなわち、プラグ１０２とソケット２０３の夫々に形成された異形状部が、第１識別手段として機能する。
治療ユニット２は、本体２０１の一部に治療動作を行う治療手段２ｄとして光を発する発光部２０２を備えている。本体２０１には、入力ユニット１のプラグ１０２と連結され第１連結手段５を構成するソケット２０３、後述する駆動ユニット３のプラグ３０２と連結され第２連結手段６を構成するソケット２０４、操作されることにより発光部２０２の発光動作を開始させる起動スイッチ２０７が設けられている。なお、詳細に述べるまでも無いが、治療ユニット２の本体２０１の形状は、患者が保持することを前提とした形状に構成されることはもちろんである。
【００２８】
駆動ユニット３は、本体３０１の一部から延出され先端に治療ユニット２のソケット２０４に連結されるプラグ３０２を備えた信号コード３０３、商用電源に接続される電源コード３０４、ならびに自身の動作を制御する電源スイッチ３０５を備えている。
【００２９】
したがって、電源コード３０４を商用電源に接続し、かつ信号コード３０３のプラグ３０２を治療ユニット２のソケット２０４にセットした状態で電源スイッチ３０５を投入することにより商用電源からのエネルギーが治療ユニット２に供給されることになる。
すなわち、本事例では、第２連結手段６が、第３連結部６aであるソケット２０４と第４連結部６ｂであるプラグ３０２を備えた信号コード３０３にて構成されている。
なお、ソケット２０４の一部には第３異形状部２０６が形成され、プラグ３０２の一部には第３異形状部２０６と嵌合できる第４異形状部３０６が形成されており、これにより治療ユニット２と駆動ユニット３の互いによる識別が図られる。
すなわち、本事例では、ソケット２０４とプラグ３０２の夫々に形成された第３、第４異形状部２０６、３０６が第２識別手段として機能する。
図３に示した概略電気回路図からも明らかなように、本発明に係る医療機器の一実施形態である光線治療器は、治療手段２ｄである発光部２０２の光源として電源手段２ｂである主コンデンサ２０８の充電エネルギーを消費して発光するキセノン閃光放電管２０９を採用している。
主コンデンサ２０８の充電エネルギーは駆動ユニット３から供給されるように構成されており、すなわち、駆動ユニット３は、電源コード３０４を介して商用電源と接続された状態で電源スイッチ３０５が投入されることにより商用電源の交流エネルギーを直流エネルギーに変換するＡＣ−ＤＣ変換回路３０７を備え、本事例においては、ＡＣ−ＤＣ変換回路３０７が動作することにより主コンデンサ２０８の充電が実施されることになる。また、駆動ユニット３は、治療ユニット２に連結されることで、制御回路２１２に接続される制御部３０８を備える。制御部３０８は、ＡＣ−ＤＣ変換回路３０７に接続される。制御部３０８は、記憶手段２ａに記憶された処方情報に基づいて制御回路２１２において生成された生成信号に応じて、ＡＣ−ＤＣ変換回路３０７により変換された後の電圧値をＡＣ−ＤＣ変換回路３０７に設定する。
キセノン閃光放電管２０９は、主コンデンサ２０８の両端に例えばＩＧＢＴである制御素子２１０を介して接続されており、この制御素子２１０のオン／オフ動作を制御することにより、発光量や発光回数、発光周波数等のいわゆる発光動作が制御される。
制御素子２１０の動作は制御回路２１２にて制御され、さらにこの制御回路２１２の動作は記憶手段２aにより制御されるように本事例では構成されている。具体的には、記憶手段２ａに記憶された患者の処方情報に応じてキセノン閃光放電管２０９の発光動作を制御するべく制御回路２１２は動作する。なお、符号２１１で示した回路は、キセノン閃光放電管２０９を励起してその発光動作を開始させるいわゆるトリガー回路である。
以下、図２、図３を参照して本発明に係る医療機器の一実施形態である光線治療器の動作について、医師もしくは医療機関が来訪した患者を診察し、光線治療器を用いた在宅治療を処方した場合、として説明する。
【００３０】
この場合、医師もしくは医療機関は、患者を診察した結果に基づく光線治療器による処方情報を治療ユニット２の記憶手段２aに入力、記憶させるべく、第１連結手段５の第１連結部５aである入力ユニット１のプラグ１０２と第２連結部５ｂである治療ユニット２のソケット２０３とを連結する。
次いで、医師もしくは医療機関は、例えばキーボード４０１、入力画面４０２等からなる入力ユニット１の入力手段４を操作し、先の患者の診察に基づく処方情報を、第１連結手段５を介して治療ユニット２に入力する。この時、先の図１、図３に示したように処方情報は、治療ユニット２内の記憶手段２aに供給され、記憶・保持されることになる。
【００３１】
一方、患者は、医師もしくは医療機関での診察終了後、自身の治療処方情報が入力、記憶された治療ユニット２とこの治療ユニット２を動作させる駆動ユニット３を、処方された薬剤等と同様に処方結果として受領し、患者宅に持ち帰ることになる。
【００３２】
持ち帰った治療ユニット２等による患者宅での実際の治療は、まず治療ユニット２と駆動ユニット３とを、第２連結手段６の第３連結部６aである治療ユニット２のソケット２０４と第４連結部６ｂである駆動ユニット３の信号コード３０３のプラグ３０２とを連結することにより接続する。
次いで、駆動ユニット３の電源コード３０４を商用電源に接続し、かかる状態にて電源スイッチ３０５を投入することにより駆動ユニット３の動作を開始させ、すなわち図３にて説明したようにＡＣ−ＤＣ変換回路３０７の動作を開始させ、制御部３０８により設定された電圧値で治療ユニット２内の主コンデンサ２０８の充電を行う。
主コンデンサ２０８の充電が完了した段階で治療ユニット２の発光部２０２を治療したい部位に向け、かかる状態で制御手段２ｃの起動スイッチ２０７を投入することにより、制御回路２１２が記憶手段２ａに記憶されている医師の診察に基づいた患者特定の処方情報に基づいてキセノン閃光放電管２０９の発光動作を制御するべく制御素子２１０およびトリガー回路２１１の動作を制御することになる。なお、先の主コンデンサ２０８の充電完了自体の確認については、図示はしないが、主コンデンサ２０８の充電電圧を監視、この充電電圧が所定値になった時に充電完了ランプを点灯させて報知する手段等、種々の周知の確認報知手段を採用できる。
制御回路２１２の動作によりトリガー回路２１１が動作するとキセノン閃光放電管２０９の発光動作が開始され、また制御回路２１２により制御素子２１０のオン／オフ動作が制御されることにより、キセノン閃光放電管２０９からは、患者の処方情報に基づいて発光量や発光回数等が制御された光が出力され、治療部位に供給されることになる。
処方情報に基づいた発光動作により出力される光が治療部位に供給される上記の状況は、本発明に係る医療機器の一実施形態である光線治療器による治療がなされている状況に他ならず、結果として、患者は、医師もしくは医療機関による処方に基づいた治療を、在宅で自ら受けられることになる。
【００３３】
なお、制御回路２１２による制御素子２１０の動作制御によって設定される治療内容、すなわちキセノン閃光放電管２０９の発光量、発光回数等は、主コンデンサ２０８やキセノン閃光放電管２０９等の個別特性に起因する制限を当然ながら受けることになり、一方この制限は、医師もしくは医療機関によって処方される処方内容の制限に他ならない。
このため、本発明に係る医療機器の一実施形態である光線治療器においては、例えば、上記主コンデンサ２０８やキセノン閃光放電管２０９として容量値や耐久特性等の個別特性が異なるものを準備して図１にて治療ユニット２Ａ、２Ｂとして説明した複数種の治療ユニットを構成することにより、先の制限を大きく緩和することができる。
【００３４】
医師もしくは医療機関は、患者を診察することによって処方する処方内容を、例えば主コンデンサ容量の異なるいくつかの治療ユニット群から適宜の治療ユニット２を選択し、さらにその選択した治療ユニット２において先の制御回路２１２による制御素子２１０の動作制御を行うことを前提として設定でき、よって、処方内容をより詳細な治療内容とすることができ、他方患者側から見れば、より緻密な治療を受けられることになる。
また、本発明は上記実施形態に限定されるものではなく、本発明の要旨を逸脱しない範囲内において種々変更を加え得ることは勿論である。
【００３５】
例えば、図３に示した事例では、駆動ユニット３の構成として電源コード３０４およびＡＣ−ＤＣ変換回路３０７を用いる例を示したが、これらの代わりに電池を採用しても良いことはもちろんである。
【００３６】
また、本実施形態の光線治療器を、具体的に、肌荒治療器や、肌荒予防器として用いることができる。肌荒治療器や肌荒予防器は、主に、炎症性疾患の羅患を予防し又は羅患時の当該疾患の症状を軽減する予防治療を受ける被治療者や、炎症性疾患を抑制することにより炎症性疾患の治療を受ける被治療者（患者）などの治療を受けるために当該装置を使用する使用者に光を照射する装置である。肌荒治療器や肌荒予防器は、波長が５６６．５ｎｍ以上７８０ｎｍ以下の範囲内の放射光を照射する。
【００３７】
治療ユニット２が肌荒治療器や肌予防器として用いられる場合、治療ユニット２は、治療部位（肩、腰、手、足、全身等）、一回の照射量（光量）、照射タイミング、及び照射周期等の治療条件に応じて発光する。ところで、このような治療条件を全て網羅するような治療ユニット２は、全ての治療条件に対応可能な容量をもつ主コンデンサ２０８と、全ての治療条件に対応可能な大きさのキセノン閃光放電管２０９とを備えることとなる。このような治療ユニット２を治療度合いの軽重に関わらず全ての被治療者に画一的に用いるとすると、治療度合いの軽い患者にとって、不必要に大きく、重い治療ユニット２を持ち運ばねばならなくなる。
【００３８】
そこで、治療ユニット２は、治療条件に応じて、主コンデンサ２０８の容量や、キセノン閃光放電管２０９の大きさの異なる複数種類用意されるのが好ましい。重量や大きさの異なる治療ユニット２のうち、患者の治療条件に応じた適切な治療ユニット２を用いることで、治療ユニット２の持ち運びにおける患者の負担を軽減することができる。
【００３９】
また、本発明に係る医療機器の一実施形態として光線治療器の事例を示したが、例えば、低周波治療器を構成するようにしてもよい。すなわち、治療ユニット２を、低周波出力部を治療手段２ｄとして備えた構成としても良いことはもちろんである。
【００４０】
また、本実施形態における光線治療器は、主コンデンサ２０８又はキセノン閃光放電管２０９の寿命を報知する、図示しない報知手段を備えてもよい。報知手段は、例えば、治療ユニット２の表面に設けられる液晶（例えば、「寿命」の文字を表示する）や、ダイオード（点滅により寿命を報知する）であってよい。制御回路２１２は、主コンデンサ２０８の充電容量や、キセノン閃光放電管２０９の発光電圧を監視し、所定の充電容量（例えば、主コンデンサ２０８の規定充電容量に対する充電容量の一定量の低下）又は発光電圧（例えば、キセノン閃光放電管２０９の発光電圧の一定量の上昇）を感知したときに、報知手段に報知させる。報知手段が報知することで、治療ユニット２の交換時期が適切に報知され得る。
【産業上の利用可能性】
【００４１】
本発明によれば、夫々独立して形成された入力ユニットと治療ユニットと駆動ユニットを備え、医師もしくは医療機関により患者の状況に応じて決定された処方を治療ユニットに入力ユニットを介して設定するとともに、患者宅で駆動ユニットを介して治療ユニットを動作させることにより、医師もしくは医療機関の管理に基づいた先の患者に応じた処方による治療動作を患者自身が行うことができる医療機器を得ることができ、患者負担をいたずらに増大させることの無い在宅治療を実現できることになる。
【符号の説明】
【００４２】
１  入力ユニット
１０１  本体
１０２  プラグ
１０３  第１異形状部
２  治療ユニット
２ａ  記憶手段
２ｂ  電源手段
２ｃ  制御手段
２ｄ  治療手段
２Ａ  治療ユニット
２Ｂ  治療ユニット
２０１  本体
２０２  発光部
２０３  ソケット
２０４  ソケット
２０５  第２異形状部
２０６  第３異形状部
２０７  起動スイッチ
２０８  主コンデンサ
２０９  キセノン閃光放電管
２１０  制御素子
２１１  トリガー回路
２１２  制御回路
３  駆動ユニット
３０１  本体
３０２  プラグ
３０３  信号コード
３０４  電源コード
３０５  電源スイッチ
３０６  第４異形状部
３０７  ＡＣ−ＤＣ変換回路
３０８  制御部
４  入力手段
４０１  キーボード
４０２  入力画面
５  第１連結手段
５ａ  第１連結部
５ｂ  第２連結部
６  第２連結手段
６ａ  第３連結部
６ｂ  第４連結部
【図１】
2014108262.tif 000003
【図２】
2014108262.tif 000004
【図３】
2014108262.tif 000005